(57)【要約】【課題】磁気記録媒体に対してアジマス記録を行う際のサイドイレースの発生を抑制する。【解決手段】インダクティブ型の薄膜磁気ヘッド２０の媒体対向面２０ａにおいて、磁気ギャップＧが当該ヘッドの走査方向と直交する方向に対してアジマス角に応じて斜めに配置されると共に、当該ヘッドの走査方向において上部磁気コア層２５が下部磁気コア層２４よりも先行するリーディング側に位置しており、下部磁気コア層２４側の突部２４ａは、そのトラック幅方向の少なくとも一側面がアジマス角以上となる角度θ１，θ２で傾けられた傾斜面３０ａ，３０ｂとされ、この傾斜面３０ａ，３０ｂの延長線Ｓ１，Ｓ２上に上部磁気コア層２５側の突部２５ａの磁気ギャップＧと隣接する側の一端３１ａ，３１ｂが位置している。【選択図】　図７
2004127457.tif 000002
【特許請求の範囲】
【請求項１】
少なくとも基板上に、下部磁気コア層と非磁性層と上部磁気コア層とが積層され、上記下部磁気コア層と上記上部磁気コア層とは、それぞれ磁気記録媒体と対向する媒体対向面側の端部に、上記磁気記録媒体に形成される記録トラックに対応して所定のトラック幅で突出された突部を有し、これら突部が上記非磁性層を介して互いに突き合わされることで磁気ギャップが形成されると共に、上記下部磁気コア層と上記上部磁気コア層とが上記媒体対向面からデプス方向に離間した他端側で接合され、この接合部分を中心に薄膜コイルが巻回されてなるインダクティブ型の薄膜磁気ヘッドであって、
上記媒体対向面において、上記磁気ギャップが当該ヘッドの走査方向と直交する方向に対してアジマス角に応じて斜めに配置されると共に、当該ヘッドの走査方向において上記上部磁気コア層が上記下部磁気コア層よりも先行する側に位置しており、上記下部磁気コア層側の突部は、そのトラック幅方向の少なくとも一側面が上記アジマス角以上となる角度で傾けられた傾斜面とされ、この傾斜面の延長線上に上記上部磁気コア層側の突部の上記磁気ギャップと隣接する側の一端が位置していることを特徴とする薄膜磁気ヘッド。
【請求項２】
上記上部磁気コア層側の突部は、上記下部磁気コア層側の突部の傾斜面の延長線上に位置する側面が、上記アジマス角以上となる角度で傾けられた傾斜面とされていることを特徴とする請求項１記載の薄膜磁気ヘッド。
【請求項３】
上記上部磁気コア層側の突部の上記磁気ギャップと隣接する側のトラック幅が、上記下部磁気コア層側の突部の上記磁気ギャップと隣接する側のトラック幅に対して同等又は小さくなることを特徴とする請求項１記載の薄膜磁気ヘッド。
【請求項４】
回転ドラムに搭載されてヘリカルスキャン方式によりテープ状の磁気記録媒体と摺接しながら信号の記録を行うことを特徴とする請求項１記載の薄膜磁気ヘッド。
【請求項５】
磁気テープを走行させるテープ走行手段と、
上記テープ走行手段により走行される磁気テープと摺接しながら信号の記録を行う記録ヘッドとを備え、
上記記録ヘッドは、少なくとも基板上に、下部磁気コア層と非磁性層と上部磁気コア層とが積層され、上記下部磁気コア層と上記上部磁気コア層とは、それぞれ上記磁気テープと摺接される媒体摺接面側の端部に、上記磁気テープに形成される記録トラックに対応して所定のトラック幅で突出された突部を有し、これら突部が上記非磁性層を介して互いに突き合わされることで磁気ギャップが形成されると共に、上記下部磁気コア層と上記上部磁気コア層とが上記媒体摺接面からデプス方向に離間した他端側で接合され、この接合部分を中心に薄膜コイルが巻回されてなるインダクティブ型の薄膜磁気ヘッドであって、
上記薄膜磁気ヘッドは、上記媒体摺接面において、上記磁気ギャップが当該ヘッドの走査方向と直交する方向に対してアジマス角に応じて斜めに配置されると共に、当該ヘッドの走査方向において上記上部磁気コア層が上記下部磁気コア層よりも先行する側に位置しており、上記下部磁気コア層側の突部は、そのトラック幅方向の少なくとも一側面が上記アジマス角以上となる角度で傾けられた傾斜面とされ、この傾斜面の延長線上に上記上部磁気コア層側の突部の上記磁気ギャップと隣接する側の一端が位置していることを特徴とする磁気テープ装置。
【請求項６】
上記上部磁気コア層側の突部は、上記下部磁気コア層側の突部の傾斜面の延長線上に位置する側面が、上記アジマス角以上となる角度で傾けられた傾斜面とされていることを特徴とする請求項５記載の磁気テープ装置。
【請求項７】
上記上部磁気コア層側の突部の上記磁気ギャップと隣接する側のトラック幅が、上記下部磁気コア層側の突部の上記磁気ギャップと隣接する側のトラック幅に対して同等又は小さくなることを特徴とする請求項５記載の磁気テープ装置。
【請求項８】
上記テープ走行手段により走行される磁気テープが外周面に巻き付けられた状態で回転駆動される回転ドラムを備え、
上記薄膜磁気ヘッドは、上記回転ドラムに搭載されてヘリカルスキャン方式により上記磁気テープと摺接しながら信号の記録を行うことを特徴とする請求項５記載の磁気テープ装置。
【発明の詳細な説明】
【０００１】
【発明の属する技術分野】
本発明は、薄膜形成技術によって基板上に磁気コアやコイル等の各構成要素が積層されてなる薄膜磁気ヘッド、並びにそのような薄膜磁気ヘッドを磁気テープに対して信号の記録を行う記録ヘッドとして用いた磁気テープ装置に関する。
【０００２】
【従来の技術】
従来より、磁気記録媒体に対して信号の記録を行う記録ヘッドとしては、磁性材料からなる一対の磁気コアを突き合わすことで磁路が形成されると共に、一対の磁気コアの突合せ面に微小隙間である磁気ギャップが形成され、この磁気コアに磁界発生のためのコイルが巻線されてなる、いわゆるバルク型磁気ヘッドが用いられている。
【０００３】
また、近年の記録密度の高密度化に伴って、フェライト等からなる一対の磁気コアの突合せ面に高飽和磁束密度を有する金属磁性薄膜を成膜し、これら金属磁性薄膜を磁気ギャップとなる非磁性膜を介して突き合わせてなる、いわゆるメタル・イン・ギャップ（ＭＩＧ：Ｍｅｔａｌ　Ｉｎ　Ｇａｐ）型磁気ヘッドが実用化されている。
【０００４】
一般に、記録ヘッドは、コイルに対して記録信号に応じた電流を供給し、このコイルから発生する磁界によって、一対の磁気コアに磁束が流れると共に、磁気ギャップに記録磁界が発生し、この記録磁界を磁気記録媒体に対して印加することで信号の記録を行う。
【０００５】
ところで、このような記録ヘッドでは、高記録密度化の要求に応えるために、トラック幅を狭くすると共に、このトラック幅精度の向上が益々重要となってきている。しかしながら、上述した磁気ヘッドでは、微細な加工を施して作製することに限界があり、高記録密度化に対応してトラック幅を狭くすることが非常に困難となってきている。
【０００６】
そこで、高記録密度化に対応した記録ヘッドとして、薄膜形成技術によって基板上に各構成要素が積層されてなる、いわゆる薄膜磁気ヘッドが提案されている。この薄膜磁気ヘッドは、磁気コアやコイル等の各構成要素がメッキ法やスパッタ法、イオンミリング法等の薄膜形成技術により形成されるために、狭トラック化や狭ギャップ化等の微細寸法化が容易であり、小型化して磁気記録媒体に対する記録密度を高めること可能である等の利点を有している。
【０００７】
ここで、薄膜磁気ヘッドの一構成例を図１９、図２０及び図２１に示す。
【０００８】
この薄膜磁気ヘッド１００は、基板１０１上に、磁路を形成する下部磁気コア層１０２と上部磁気コア層１０３とが積層されてなる。そして、下部磁気コア層１０２と上部磁気コア層１０３とは、それぞれ磁気記録媒体と対向する媒体対向面１００ａ側の端部に、所定のトラック幅Ｔｗ１’，Ｔｗ２’で突出された突部１０２ａ，１０３ａを有し、これら突部１０２ａ，１０３ａが非磁性層１０４を介して互いに突き合わされることで磁気ギャップＧ’が形成されている。また、媒体対向面１００ａからデプス方向に離間した他端部において、下部磁気コア層１０２と上部磁気コア層１０３とが接合されることでバックギャップが形成されている。そして、下部磁気コア層１０２と上部磁気コア層１０３との間には、このバックギャップを中心に巻回された薄膜コイル１０５が非磁性層１０４に埋め込まれた状態で設けられている。そして、この薄膜コイル１０５の内周側の端部及び外周側の端部は、それぞれ媒体対向面１００ａとは反対側に向かって引き延ばされており、ここに、外部回路と接続される外部接続用端子１０５ａ，１０５ｂが設けられている。また、この基板１０１の最上層には、薄膜コイル１０５の外部接続用端子１０５ａ，１０５ｂが外部に臨む部分を除いて全面を被覆するように保護層１０６が設けられている。
【０００９】
また、薄膜磁気ヘッド１００の中には、図２２に示すように、更なる高記録密度化に対応するために、トラック幅を狭くすると共に、下部磁気コア層１０２上に、上部磁気コア層１０３側の突部１０３ａと対向する突部１０２ｂを突出させたものがある。この薄膜磁気ヘッド１００では、下部磁気コア層１０２側の突部１０２ｂと上部磁気コア層１０３側の突部１０３ａとが非磁性層１０４を介して互いに突き合わされることで磁気ギャップＧ’が形成されると共に、これらの幅がトラック幅Ｔｗ１’，Ｔｗ２’となっている。このように、図２２に示す薄膜磁気ヘッド１００では、下部磁気コア層１０２側に上部磁気コア層１０３側の突部１０３ａに対応した幅で突出された突部１０２ｂを設けることで、トラック幅方向の側面からの漏洩磁界、すなわちサイドフリンジング磁界を少なくすることができ、このサイドフリンジング磁界による影響を低減することによって、実効トラック幅の安定化が図られている。
【００１０】
以上のような薄膜磁気ヘッド１００では、薄膜形成技術によって基板上に各構成要素が形成されるため、狭トラック化が可能であり、更なる磁気記録媒体の高記録密度化に対応することが可能となっている。このため、薄膜磁気ヘッド１００は、高密度磁気記録再生装置の記録ヘッドとして、当初はハードディスクドライブ（ＨＤＤ：Ｈａｒｄ　Ｄｉｓｋ　Ｄｒｉｖｅ）等の磁気ディスク装置に利用され、近年はビデオテープレコーダ（ＶＴＲ：Ｖｉｄｅｏ　Ｔａｐｅ　Ｒｅｃｏｒｄｅｒ）等の磁気テープ装置でも利用されつつある。
【００１１】
ところで、上述したＶＴＲ等に代表される磁気テープ装置では、ヘリカルスキャン方式を採用するものが一般的となっている。このヘリカルスキャン方式を採用する磁気テープ装置では、磁気テープが回転ドラムの外周面に所定の角度範囲でヘリカル状に巻き付けられた状態で走行される。また、この回転ドラムには、外周面から磁気ギャップが臨むように一対の記録ヘッドが取り付けられている。したがって、このヘリカルスキャン方式では、磁気テープが回転ドラムに対して斜めに走行しながら、回転ドラムが回転駆動することによって、この回転ドラムに搭載された一対の記録ヘッドが磁気テープに対して斜めに走査されることになる。
【００１２】
また、この磁気テープ装置では、回転ドラムに搭載された一対の記録ヘッドのうち、一方の記録ヘッドが、磁気テープに対して記録信号に応じた磁界を印加しながら所定のトラック幅で記録トラックを形成し、他方の記録ヘッドが、この記録トラックに隣接した位置に、記録信号に応じた磁界を印加しながら所定のトラック幅で記録トラックを形成する。そして、これら一対の記録ヘッドが磁気テープに対して繰り返し記録トラックを形成することによって、この磁気テープには、一方の記録ヘッドにより書き込まれた記録トラックと、他方の記録ヘッドにより書き込まれた記録トラックとが交互に形成されることになる。
【００１３】
また、この磁気テープ装置では、先に書き込まれた記録トラックと若干重なるように次の記録トラックを書き込むことによって、隣接する記録トラック間の未記録領域、いわゆるガードバンドを無くし、磁気テープに対する記録密度を高めることが行われている。
【００１４】
さらに、この磁気テープ装置において、一対の記録ヘッドは、互いの磁気ギャップがヘッドの走査方向と直交する方向に対してアジマス角に応じて斜めとなるように配置されており、互いのアジマス角を逆位相とすることによって、隣接する記録トラック間の干渉、いわゆるクロストークを極力抑えるようにしている。以上のような記録方法は、一般にアジマス記録と呼ばれている。
【００１５】
【特許文献１】
特開２００１−２３６６０５号公報（第４頁、第３図）
【００１６】
【発明が解決しようとする課題】
ところで、このようなアジマス記録を行う磁気テープ装置では、記録ヘッドとして上述した薄膜磁気ヘッド１００を用いた場合に、隣接する記録トラックの一部を消去してしまう、いわゆるサイドイレースが発生することがある。
【００１７】
このサイドイレースは、アジマス角のないノンアジマス記録においては通常、上述したトラック幅方向の側面からの漏洩磁界、すなわちサイドフリンジング磁界によるものが主な原因であり、このようなサイドイレースが発生すると、再生ヘッドによって各記録トラックから十分な信号を読み出すことができず、Ｓ／Ｎ比（Ｓｉｇｎａｌ−Ｎｏｉｓｅ　ｒａｔｉｏ）が低下するといった問題が発生してしまう。さらに、アジマス記録の場合には、一対の記録ヘッドである薄膜磁気ヘッド１００がアジマス角に応じて斜めに配置されるために、ノンアジマス記録の場合に比べて、トラック幅方向の側面に発生する漏洩磁界がサイドフリンジング磁界として、より顕著に影響を及ぼすことになる。
【００１８】
また、上述した図２２に示す薄膜磁気ヘッド１００のように、サイドフリンジングによる影響が無視できる程度にまでサイドフリンジング磁界を小さくした場合でも、アジマス記録によってサイドイレースが発生することがある。
【００１９】
詳述すると、この薄膜記録ヘッド１００では、通常、ヘッドの走査方向において先行する側、いわゆるリーディング側に位置する下部磁気コア層１０２側の突部１０２ｂで発生した記録磁界によって記録される記録ビットを、このリーディング側とは反対側、いわゆるトレーリング側に位置する上部磁気コア層１０３側の突部１０３ａで発生した記録磁界が記録し直すことになる。そして、このアジマス記録の場合には、図２３に示すように、薄膜磁気ヘッド１００がアジマス角に応じて斜めに配置されるために、リーディング側に位置する下部磁気コア層１０２側の突部１０２ｂと、トレーリング側に位置する上部磁気コア層１０３側の突部１０３ａとの間で、ヘッドの走査方向と直交する方向、すなわちトラック幅方向のずれが発生してしまう。
【００２０】
この場合、薄膜磁気ヘッド１００によって磁気テープに形成される記録トラックにおいて、リーディング側に位置する下部磁気コア層１０２側の突部１０２ｂで発生した記録磁界と、トレーリング側に位置する上部磁気コア層１０３側の突部１０３ａで発生した記録磁界とのトラック幅方向のずれによって、下部磁気コア層１０２側の突部１０２ｂで発生した記録磁界によって記録される記録ビットのトラック幅Ｔｗ１’と、上部磁気コア層１０３側の突部１０３ａで発生した記録磁界によって記録される記録ビットのトラック幅Ｔｗ２’との位相差を含んだ記録ビットが記録されてしまい、この記録ビットの実効トラック幅が狭くなるといった問題が発生してしまう。
【００２１】
さらに、この薄膜磁気ヘッド１００では、狭トラック化に伴って、サイドイレース領域がトラックピッチに対して次第に大きくなり、Ｓ／Ｎ比が益々悪くなるといった問題が発生してしまう。
【００２２】
そこで、本発明は、このような従来の事情に鑑みて提案されたものであり、磁気記録媒体に対してアジマス記録を行う場合でも、サイドイレースの発生を抑制することを可能とした薄膜磁気ヘッドを提供することを目的とする。
【００２３】
また、本発明は、そのような薄膜磁気ヘッドを磁気テープに対してアジマス記録を行う記録ヘッドとして用いることで、磁気テープに対する記録密度を高めることを可能とした磁気テープ装置を提供することを目的とする。
【００２４】
【課題を解決するための手段】
この目的を達成するために、本発明に係る薄膜磁気ヘッドは、少なくとも基板上に、下部磁気コア層と非磁性層と上部磁気コア層とが積層され、下部磁気コア層と上部磁気コア層とは、それぞれ磁気記録媒体と対向する媒体対向面側の端部に、磁気記録媒体に形成される記録トラックに対応して所定のトラック幅で突出された突部を有し、これら突部が非磁性層を介して互いに突き合わされることで磁気ギャップが形成されると共に、下部磁気コア層と上部磁気コア層とが媒体対向面からデプス方向に離間した他端側で接合され、この接合部分を中心に薄膜コイルが巻回されてなるインダクティブ型の薄膜磁気ヘッドであって、媒体対向面において、磁気ギャップが当該ヘッドの走査方向と直交する方向に対してアジマス角に応じて斜めに配置されると共に、当該ヘッドの走査方向において上部磁気コア層が下部磁気コア層よりも先行する側に位置しており、下部磁気コア層側の突部は、そのトラック幅方向の少なくとも一側面がアジマス角以上となる角度で傾けられた傾斜面とされ、この傾斜面の延長線上に上部磁気コア層側の突部の磁気ギャップと隣接する側の一端が位置していることを特徴としている。
【００２５】
以上のように、本発明に係る薄膜磁気ヘッドでは、下部磁気コア層側の突部のトラック幅方向の少なくとも一側面が、アジマス角以上となる角度で傾けられた傾斜面とされており、この傾斜面の延長線上に上部磁気コア層側の突部の磁気ギャップと隣接する側の一端が位置していることから、当該ヘッドの走査方向において先行する上部磁気コア層側の突部で発生した記録磁界によって記録される記録ビットを、下部磁気コア層側の突部で発生した記録磁界が、トラック幅方向に対して十分に記録し直すことによって、磁気記録媒体に形成される記録トラックにおいて、位相差を抑制した記録ビットを記録することができる。
【００２６】
また、本発明に係る磁気テープ装置は、磁気テープを走行させるテープ走行手段と、テープ走行手段により走行される磁気テープと摺接しながら信号の記録を行う記録ヘッドとを備え、記録ヘッドは、磁気テープに対する信号の記録を行う記録ヘッドとして、少なくとも基板上に、下部磁気コア層と非磁性層と上部磁気コア層とが積層され、下部磁気コア層と上部磁気コア層とは、それぞれ磁気テープと摺接される媒体摺接面側の端部に、磁気記テープに形成される記録トラックに対応して所定のトラック幅で突出された突部を有し、これら突部が非磁性層を介して互いに突き合わされることで磁気ギャップが形成されると共に、下部磁気コア層と上部磁気コア層とが媒体摺接面からデプス方向に離間した他端側で接合され、この接合部分を中心に薄膜コイルが巻回されてなるインダクティブ型の薄膜磁気ヘッドである。そして、この薄膜磁気ヘッドは、媒体摺接面において、磁気ギャップが当該ヘッドの走査方向と直交する方向に対してアジマス角に応じて斜めに配置されると共に、当該ヘッドの走査方向において上部磁気コア層が下部磁気コア層よりも先行する側に位置しており、下部磁気コア層側の突部は、そのトラック幅方向の少なくとも一側面がアジマス角以上となる角度で傾けられた傾斜面とされ、この傾斜面の延長線上に上部磁気コア層側の突部の磁気ギャップと隣接する側の一端が位置していることを特徴としている。
【００２７】
以上のように、本発明に係る磁気テープ装置では、薄膜磁気ヘッドにおいて、下部磁気コア層側の突部のトラック幅方向の少なくとも一側面が、アジマス角以上となる角度で傾けられた傾斜面とされ、この傾斜面の延長線上に上部磁気コア層側の突部の磁気ギャップと隣接する側の一端が位置していることから、当該ヘッドの走査方向において先行する上部磁気コア層側の突部で発生した記録磁界によって記録される記録ビットを、下部磁気コア層側の突部で発生した記録磁界が、トラック幅方向に対して十分に記録し直すことによって、この薄膜磁気ヘッドによって磁気記録媒体に形成される記録トラックにおいて、位相差を抑制した記録ビットを記録することができる。
【００２８】
【発明の実施の形態】
以下、本発明を適用した薄膜磁気ヘッド及び磁気テープ装置について、図面を参照しながら詳細に説明する。
【００２９】
図１に示すように、本発明を適用した磁気テープ装置１は、ヘリカルスキャン方式によってテープカセット２に収納された磁気記録媒体である磁気テープ３に対して情報信号の記録又は再生を行うものであり、テープカセット２には、磁気テープ３を供給するための供給リール４と、この供給リール４から供給された磁気テープ３を巻き取るための巻取リール５とが回転可能に設けられている。
【００３０】
なお、磁気テープ３には、強磁性粉末を結合剤中に分散して、非磁性支持体上に塗布した、いわゆる塗布型テープばかりでなく、非磁性支持体上に金属磁性膜を斜方に蒸着させてなる、いわゆる蒸着テープが用いられる。この場合、蒸着テープは、保磁力、残留磁化、角形比等に優れ、短波長での電磁変換特性に優れるばかりでなく、塗布型テープに比べて、磁性層の厚みを極めて薄くできるため、記録減磁や再生時の厚み損失が小さいこと、磁性層中に非磁性材である結合剤を混入する必要がないため、磁性材料の充填密度を高め、大きな磁化を得ることができる等、数々の利点を有している。したがって、このような蒸着テープを上述したテープカセット２の磁気テープ３に用いることで、電磁変換特性を向上させ、より大きな出力を得ることが可能となっている。
【００３１】
磁気テープ装置１は、テープカセット２を着脱可能とする装置本体６を備え、この装置本体６には、テープカセット２のローディング時に供給リール４と巻取リール５との間で磁気テープ３の引き回しを行う複数のガイドローラ７ａ〜７ｆが設けられている。
【００３２】
また、ガイドローラ７ｅとガイドローラ７ｆとの間には、テープ走行手段として、磁気テープ３が掛け合わされるピンチローラ８と、このピンチローラ８と共に磁気テープ３を挟み込むキャップスタン９と、このキャップスタン９を回転駆動するキャップスタンモータ９ａとが設けられている。そして、磁気テープ３は、ピンチローラ８とキャップスタン９との間に挟み込まれた状態で、キャップスタンモータ９ａによりキャップスタン９が図１中矢印Ａ方向に回転駆動されることによって、図１中矢印Ｂ方向に一定の速度及び張力で走行するようになされている。
【００３３】
また、ガイドローラ７ｃとガイドローラ７ｄとの間には、記録再生手段である磁気ヘッド装置１０が設けられている。この磁気ヘッド装置１０は、一対の記録ヘッド１１ａ，１１ｂ及び一対の再生ヘッド１２ａ，１２ｂが搭載されたヘッドドラム１３を備えており、磁気テープ３は、上述した複数のガイドローラ７ａ〜７ｆによってテープカセット２から引き出され、このヘッドドラム１３に略１８０゜の角度範囲でヘリカル状に巻き付けられた状態で、図１中矢印Ｂ方向に走行される。
【００３４】
ヘッドドラム１３は、図１及び図２に示すように、上下方向に組み合わされた一組の回転ドラム１４及び固定ドラム１５と、回転ドラム１４を回転駆動する駆動モータ１６とを備え、互いの中心軸を一致させた状態で装置本体６のベースに対してやや斜めに傾斜した状態で配置されている。
【００３５】
このうち、下ドラムを構成する固定ドラム１５は、装置本体６のベースに固定支持されており、その円筒状の外周面１５ａには、磁気テープ３を案内するリードガイド１７が形成されている。磁気テープ３は、このリードガイド１７に沿って回転ドラム１４の回転方向に対して斜めに走行される。
【００３６】
一方、上ドラムを構成する回転ドラム１４は、中心軸を一致させた略同径の固定ドラム１５に対して回転可能に支持されると共に、固定ドラム１５の下方に配置された駆動モータ１６によって、図１及び図２中矢印Ｃ方向に回転駆動される。また、回転ドラム１４の固定ドラム１５と対向する側の外周部には、磁気テープ３に対して信号の記録動作を行う一対の記録ヘッド１１ａ，１１ｂと、磁気テープ３に対して信号の再生動作を行う一対の再生ヘッド１２ａ，１２ｂとが取り付けられている。
【００３７】
一対の記録ヘッド１１ａ，１１ｂは、軟磁性体からなる一対の磁気コアが非磁性体からなる磁気ギャップを介して接合されると共に、磁気コアにコイルが巻装されてなるインダクティブ型磁気ヘッドである。これら一対の記録ヘッド１１ａ，１１ｂは、回転ドラム１４の回転中心に対して互いになす中心角が１８０°となる位置において互いに対向配置されている。また、これら一対の記録ヘッド１１ａ，１１ｂは、それぞれの記録ギャップが回転ドラム１４の外周面から外部に臨むように、回転ドラム１４の外周面から僅かに突出して設けられている。なお、これら一対の記録ヘッド１１ａ，１１ｂは、磁気テープ３に対してアジマス記録を行えるように、互いの記録ギャップが磁気テープ３の走行方向と略直交する方向に対してアジマス角に応じて斜めとなるように配置されている。また、一対の記録ヘッド１１ａ，１１ｂは、互いのアジマス角が逆位相となるように設定されている。
【００３８】
一方、一対の再生ヘッド１２ａ，１２ｂは、磁気テープ３からの信号を検出する感磁素子として磁気抵抗効果素子（以下、ＭＲ素子という。）を備えた磁気抵抗効果型磁気ヘッド（以下、ＭＲヘッドという。）である。これら一対の再生ヘッド１２ａ，１２ｂは、回転ドラム１４の回転中心に対して互いになす中心角が１８０°となる位置において互いに対向配置されている。また、これら一対の再生ヘッド１２ａ，１２ｂは、それぞれの再生ギャップが回転ドラム１４の外周面から外部に臨むように、回転ドラム１４の外周面から僅かに突出して設けられている。なお、これら一対の再生ヘッド１２ａ，１２ｂは、磁気テープ３に対してアジマス記録された信号を再生できるように、互いの再生ギャップが磁気テープ３の走行方向と略直交する方向に対してアジマス角に応じて斜めとなるように配置されている。また、一対の再生ヘッド１２ａ，１２ｂは、互いのアジマス角が逆位相となるように設定されている。
【００３９】
そして、このヘリカルスキャン方式を採用する磁気ヘッド装置１０では、ヘッドドラム１３に巻き付けられた磁気テープ３が、図２中矢印Ｂ方向に走行されながら、駆動モータ１６により回転ドラム１４が、図２中矢印Ｃ方向に回転駆動されることによって、この回転ドラム１４に搭載された一対の記録ヘッド１１ａ，１１ｂ及び一対の再生ヘッド１２ａ，１２ｂが磁気テープ３に対して斜めに走査されることになる。そして、この回転ドラム１４に搭載された一対の記録ヘッド１１ａ，１１ｂ及び一対の再生ヘッド１２ａ，１２ｂが磁気テープ３と摺接しながら、信号の記録動作又は再生動作を行う。
【００４０】
具体的に、記録時には、磁気テープ３に対して、一方の記録ヘッド１１ａが、記録信号に応じた磁界を印加しながら所定のトラック幅で記録トラックを形成し、他方の記録ヘッド１１ｂが、この記録トラックに隣接して記録信号に応じた磁界を印加しながら所定のトラック幅で記録トラックを形成する。そして、これら記録ヘッド１１ａ，１１ｂが磁気テープ３に対して繰り返し記録トラックを形成することによって、磁気テープ３に対して連続的に信号を記録することになる。したがって、この磁気テープ３には、一方の記録ヘッドにより書き込まれた記録トラックと、他方の記録ヘッドにより書き込まれた記録トラックとが交互に形成されることになる。
【００４１】
また、記録時には、先に書き込まれた記録トラックと若干重なるように次の記録トラックを書き込むことによって、隣接する記録トラック間の未記録領域、いわゆるガードバンドを無くし、磁気テープ３に対する記録密度を高めることが行われている。さらに、一対の記録ヘッド１１ａ，１１ｂは、互いの記録ギャップがヘッドの走査方向と直交する方向に対してアジマス角に応じて斜めとなるように配置されており、互いのアジマス角を逆位相とすることによって、隣接する記録トラック間の干渉、いわゆるクロストークを極力抑えるようにしている。
【００４２】
一方、再生時には、磁気テープ３に対して、一方の再生ヘッド１２ａが、一方の記録ヘッド１１ａにより記録された記録トラックから信号磁界を検出し、他方の再生ヘッド１２ｂが、この記録トラックに隣接する他方の記録ヘッド１１ｂにより記録された記録トラックから信号磁界を検出する。そして、これら再生ヘッド１２ａ，１２ｂが記録トラックから繰り返し信号磁界を検出することによって、磁気テープ３に記録された信号を連続的に再生することになる。
【００４３】
ところで、上述した一対の記録ヘッド１１ａ，１１ｂには、図３及び図４に示すように、本発明を適用したインダクティブ型の薄膜磁気ヘッド２０が用いられている。
【００４４】
この薄膜磁気ヘッド２０は、例えばメッキ法やスパッタ法、イオンミリング法等の薄膜形成技術によって基板上に磁気コアやコイル等の各構成要素が形成されるため、狭トラック化が可能であり、更なる磁気記録媒体の高記録密度化に対応することが可能となっている。
【００４５】
具体的に、一対の記録ヘッド１１ａ，１１ｂは、非磁性体からなる第１のヘッド部材２１上に薄膜磁気ヘッド２０が形成され、この薄膜磁気ヘッド２０上に保護膜２２を介して非磁性体からなる第２のヘッド部材２３が貼り付けられた構造を有している。
【００４６】
なお、この薄膜磁気ヘッド２０は、第１のヘッド部材２１となる基板上に同一形状となる多数のヘッド素子を形成し、このヘッド素子が形成された基板上に第２のヘッド部材２３となる基板を貼り合わせてヘッドブロックを形成した後、このヘッドブロックを個々のヘッドチップとして切り出すことで作製される。
【００４７】
また、この薄膜磁気ヘッド２０は、磁気テープ３との当たりを良くするため、その磁気テープ３と摺接する媒体摺接面２０ａが、図３中矢印Ｄに示す磁気テープ３に対するヘッドの走査方向に沿って略円弧状に湾曲した曲面となっている。そして、薄膜磁気ヘッド２０は、この媒体摺接面２０ａから外部に臨む記録ギャップＧが磁気テープ３の走行方向と略直交する方向に対してアジマス角θに応じて斜めとなるように配置されている。
【００４８】
なお、一対の記録ヘッド１１ａ，１１ｂは、互いのアジマス角が逆位相となる以外は、同一の構成を有している。したがって、以下の説明では、これら一対の記録ヘッド１１ａ，１１ｂをまとめて薄膜磁気ヘッド２０として説明するものとする。
【００４９】
この薄膜磁気ヘッド２０は、図５，図６及び図７に示すように、第１のヘッド部材２１上に、磁路を形成する下部磁気コア層２４と上部磁気コア層２５とが積層されてなる。そして、下部磁気コア層２４と上部磁気コア層２５とは、それぞれ磁気テープ３と対向する媒体対向面、すなわち媒体摺接面２０ａ側の端部に、磁気テープ３に形成される記録トラックに対応して所定のトラック幅Ｔｗ１，Ｔｗ２で突出された突部２４ａ，２５ａを有しており、これら突部２４ａ，２５ａが非磁性層２６を介して互いに突き合わされることで磁気ギャップＧが形成されている。
【００５０】
このように、薄膜磁気ヘッド２０では、下部磁気コア層２４上に、上部磁気コア層２５側の突部２５ａと対向する突部２４ａを突出形成することによって、磁気ギャップＧからの記録磁界をトラック幅方向に狭くすることが可能であり、微細な記録ビットを磁気テープ３の記録トラック上に記録することが可能となっている。
【００５１】
また、媒体摺動面２０ａからデプス方向に離間した他端部において、下部磁気コア層２４と上部磁気コア層２５が接合されることで接合部分であるバックギャップが形成されている。そして、下部磁気コア層２４と上部磁気コア層２５との間には、このバックギャップを中心に巻回された薄膜コイル２７が非磁性層２６に埋め込まれた状態で設けられている。
【００５２】
また、この薄膜コイル２７の内周側の端部及び外周側の端部は、図３に示すように、それぞれ媒体摺接面２０ａとは反対側に向かって引き延ばされた引き出し導線２８ａ，２８ｂの一端と接続されている。そして、これら引き出し導線２８ａ，２８ｂの他端部には、薄膜コイル２７に対して記録信号に応じた電流を供給するための外部回路と接続される外部接続用端子２９ａ，２９ｂが設けられている。
【００５３】
また、この薄膜磁気ヘッド２０の最上層には、外部接続用端子２９ａ，２９ｂが外部に臨む部分を除いて全面を被覆するように、上述した保護膜２２が設けられている。
【００５４】
ところで、この薄膜磁気ヘッド２０は、上述したアジマス記録を行うために、媒体摺接面２０ａにおいて、磁気ギャップＧが図３中矢印Ｄに示すヘッドの走査方向と直交する方向に対してアジマス角θに応じて斜めとなるように配置されている。
【００５５】
また、この薄膜磁気ヘッド２０は、ヘッドの走査方向において上部磁気コア層２５が下部磁気コア層２４よりも先行する側に位置するように配置されている。すなわち、この薄膜磁気ヘッド２０では、ヘッドの走査方向において先行する側、いわゆるリーディング側に上部磁気コア層２５側の突部２５ａが位置し、このリーディング側とは反対側、いわゆるトレーリング側に下部磁気コア層２４側の突部２４ａが位置することになる。
【００５６】
そして、この薄膜磁気ヘッド２０では、媒体摺接面２０ａにおいて、下部磁気コア層２４側の突部２４ａにおけるトラック幅方向の両側面が、それぞれアジマス角θ以上となる角度θ１，θ２で傾けられた傾斜面３０ａ，３０ｂとされており、これら傾斜面３０ａ，３０ｂの延長線Ｓ１，Ｓ２上に、それぞれ上部磁気コア層２５側の突部２５ａにおける磁気ギャップＧと隣接する側の両端部３１ａ，３１ｂが位置している。
【００５７】
この場合、トレーリング側に位置する下部磁気コア層２４側の突部２４ａの磁気ギャップＧと隣接する側のトラック幅Ｔｗ１よりも、リーディング側に位置する上部磁気コア層２５側の突部２５ａの磁気ギャップＧと隣接する側のトラック幅Ｔｗ２が小さくなる。なおかつ、磁気ギャップＧがアジマス角θに応じて斜めとなるように配置されても、リーディング側に位置する上部磁気コア層２５側のトラック幅Ｔｗ２が、トレーリング側に位置する下部磁気コア層２４側のトラック幅Ｔｗ１の内側に位置することになる。
【００５８】
以上のように構成される薄膜ヘッド２０では、外部回路から薄膜コイル２７に対して記録信号に応じた電流が供給されると、この薄膜コイル２７から発生する磁界によって、下部磁気コア層２４及び上部磁気コア層２５に磁束が流れると共に、磁気ギャップＧに記録磁界が発生する。そして、この記録磁界を磁気テープ３に対して印加していくことで、記録信号に応じた記録ビットが記録された記録トラックを形成することができる。
【００５９】
ここで、上述した薄膜磁気ヘッド２０を用いてアジマス記録を行った場合には、図８に示すように、ヘッドの走査方向において先行するリーディング側の上部磁気コア層２５側の突部２５ａで発生した記録磁界によって記録された記録ビットを、トレーリング側の下部磁気コア層２４側の突部２４ａで発生した記録磁界が記録し直す、いわゆるオーバーライトすることになる。
【００６０】
この場合、トレーリング側に位置する下部磁気コア層２４側の突部２４ａにおける傾斜面３０ｂの延長線Ｓ２上に、リーディング側に位置する上部磁気コア層２５側の突部２５ａの磁気ギャップＧと隣接する側の一端３１ｂが位置していることから、磁気テープ３に形成される記録トラックにおいて、トレーリング側に位置する下部磁気コア層２４側の突部２４ａで発生した記録磁界によって記録される記録ビットのトラック幅Ｔｗ１と、リーディング側に位置する上部磁気コア層２５側の突部２５ａで発生した記録磁界によって記録される記録ビットのトラック幅Ｔｗ２との位相差を抑制した記録ビットを記録することができる。
【００６１】
したがって、この薄膜磁気ヘッド２０では、磁気テープ３に対してアジマス記録を行った場合でも、サイドイレースの発生を抑制することができ、この薄膜磁気ヘッド２０によって形成される記録ビットの実効トラック幅が狭くなるのを抑制することができる。
【００６２】
次に、図９，図１０及び図１１に示すように、本発明を適用した別の薄膜磁気ヘッド４０について説明する。なお、この薄膜磁気ヘッド４０では、上記薄膜磁気ヘッド２０と同等な部位については説明を省略すると共に、図面において同じ符号を付すものとする。
【００６３】
この薄膜磁気ヘッド４０は、リーディング側に位置する上部磁気コア層２５側の突部２５ａにおいて、トレーリング側に位置する下部磁気コア層２４側の突部２４ａの傾斜面３０ａ，３０ｂの延長線Ｓ１，Ｓ２上に位置する側面が、アジマス角以上となる角度θ１，θ２で傾けられた傾斜面４１ａ，４１ｂとされている以外は、上記薄膜磁気ヘッド２０と同様な構成を有している。
【００６４】
この場合も、トレーリング側に位置する下部磁気コア層２４側の突部２４ａの磁気ギャップＧと隣接する側のトラック幅Ｔｗ１よりも、リーディング側に位置する磁気コア層２５側の突部２５ａの磁気ギャップＧと隣接する側のトラック幅Ｔｗ２が小さくなる。なおかつ、磁気ギャップＧがアジマス角θに応じて斜めに配置されても、リーディング側に位置する上部磁気コア層２５側のトラック幅Ｔｗ２が、トレーリング側に位置する下部磁気コア層２４側のトラック幅Ｔｗ１の内側に位置することになる。
【００６５】
そして、この薄膜磁気ヘッド４０を用いてアジマス記録を行った場合には、図１２に示すように、トレーリング側に位置する下部磁気コア層２４側の突部２４ａにおける傾斜面３０ｂの延長線Ｓ２上に、リーディング側に位置する上部磁気コア層２５側の突部２５ａの傾斜面４１ｂが位置していることから、磁気テープ３に形成される記録トラックにおいて、トレーリング側に位置する下部磁気コア層２４側の突部２４ａで発生した記録磁界によって記録される記録ビットのトラック幅Ｔｗ１と、リーディング側に位置する上部磁気コア層２５ａ側の突部２５ｂで発生した記録磁界によって記録される記録ビットのトラック幅Ｔｗ２との位相差を抑制した記録ビットを記録することができる。さらに、この場合には、これら傾斜面３０ｂ，４１ｂが形成された側面と、傾斜面３０ａ，４１ａが形成された側面との両側から発生するサイドフリンジング磁界を、上述した薄膜磁気ヘッド２０よりも更に少なくすることができ、その結果、この薄膜磁気ヘッド４０のサイドイレースの抑制は、上述した薄膜磁気ヘッド２０よりも更に大きなものとなる。
【００６６】
したがって、この薄膜磁気ヘッド４０では、磁気テープ３に対してアジマス記録を行った場合でも、アジマス記録による磁気コアのトラック幅方向のずれが原因で生じるサイドイレースを抑制すると共にサイドフリンジング磁界によるサイドイレースの発生も抑制することができ、この薄膜磁気ヘッド４０によって形成される記録ビットの実効トラック幅が狭くなるのを抑制することができる。
【００６７】
ところで、ＨＤＤに関する発明として、ヘッドの走査方向において下部磁気コア層が上部磁気コア層よりも先行する側に位置すると共に、下部磁気コア層側の突部及び上部磁気コア層側の突部において、トラック幅方向の少なくとも一側面がスキュー角の最大角度以上となる角度で傾けられた傾斜面とされている薄膜磁気ヘッドが提案されている（例えば、特許文献１を参照。）。
【００６８】
このようなＨＤＤに代表される磁気ディスク装置では、基本的にはノンアジマス記録であるものの、磁気ディスクに対して、当該ディスクの径方向に操作される磁気ヘッドがある範囲の可変的なスキュー角を持つために、この磁気ディスク上を浮上する浮上ヘッドスライダに搭載された磁気ヘッドが、ヘッドの走査方向すなわちディスクの回転方向に対して、上述したアジマス記録の場合と同じように磁気ギャップがスキュー角に応じて傾くことになり、その結果、隣接する記録トラックにおけるデータの書き換えやデータの消去等といった問題が発生してしまう。特許文献１に記載される薄膜磁気ヘッドは、このようなアジマス記録に似た問題を解決するための手段として提案されたものである。
【００６９】
しかしながら、この場合には、浮上ヘッドスライダとなる基板上に薄膜磁気ヘッドが形成されること、並びにこの浮上ヘッドスライダの浮上姿勢から、ヘッドの走査方向において先行するリーディング側に下部磁気コア層側の突部が位置し、トレーリング側に上部磁気コア層側の突部が位置することになる。
【００７０】
したがって、特許文献１に記載される薄膜磁気ヘッドでは、図１３に示す薄膜磁気ヘッド６０のように、上述した薄膜磁気ヘッド４０を、リーディング側に下部磁気コア層２４側の突部２４ａが位置し、トレーリング側に上部磁気コア層２５側の突部２５ａが位置するように、逆向きに配置した構成となる。そして、このような逆向きの配置とした場合には、ヘッドの走査方向において先行するリーディング側の下部磁気コア層２４側の突部２４ａで発生した記録磁界によって記録される記録ビットを、トレーリング側の上部磁気コア層２５側の突部２５ａで発生した記録磁界が記録し直すことになる。
【００７１】
この場合、隣接する記録トラックにおけるデータの書き換えやデータの消去等の磁気的な悪影響を小さくするといった効果がある程度期待できるものの、リーディング側に位置する下部磁気コア層２４側の突部２４ａの磁気ギャップＧと隣接する側のトラック幅Ｔｗ１よりも、トレーリング側に位置する磁気コア層２５側の突部２５ａの磁気ギャップＧと隣接する側のトラック幅Ｔｗ２が小さくなることから、自らの記録トラックにおいて、位相差を含んだ記録ビットが記録されてしまい、この記録ビットの実効トラック幅が狭くなるといった問題が発生してしまう。
【００７２】
ここで、上述した図８に示す本発明を適用した薄膜磁気ヘッド２０、図１２に示す本発明を適用した別の薄膜磁気ヘッド４０、図１３に示す薄膜磁気ヘッド６０、並びに上述した図２３に示す従来の薄膜磁気ヘッド１００について、各ヘッドによって記録媒体上に記録される記録ビットの形状（ダイビットパターン）をコンピュータシミュレーションにより算出した。また、記録媒体としては、上述した蒸着テープを用いることにした。そして、磁気テープを静止した状態で各ヘッドを走査した際に記録される３つの記録ビットについて、その真ん中に位置する記録ビットの磁化反転による境界線を抽出したものをコンピュータシミュレーションにより算出した。
【００７３】
なお、このコンピュータシミュレーションでは、アジマス角を２０゜、上部磁気コア層のトラック幅を１．８μｍ、磁気ギャップ長を０．２５μｍ、３つの記録ビット長をそれぞれ１．０μｍ、媒体摺接面から磁気テープまでの磁気的スペーシングを３０ｎｍとして計算を行った。
【００７４】
図１４（Ａ）に示すように、上述した図２３に示す従来の薄膜磁気ヘッド２０によって記録される１つの記録ビット２００には、リーディング側に位置する下部磁気コア層１０２側の突部１０２ｂで発生した記録磁界と、トレーリング側に位置する上部磁気コア層１０３側の突部１０３ａで発生した記録磁界とのトラック幅方向のずれによって生じる記録ビットのトラック幅方向の位相差によって、そのトラック幅方向の両端部からヘッドの走査方向（リーディング側）に伸びる一対の記録パターン２００ａ，２００ｂが形成されることになる。
【００７５】
そして、図１４（Ｂ）に示すように、このような記録ビット２００が磁気テープの記録トラック上に複数記録されたときには、先に記録された記録ビット２００の一対の記録パターン２００ａ，２００ｂが、次に記録された記録ビット２００のトラックエッジ部にまで及ぶサイドイレースが発生することで、この記録ビット２００の磁化遷移領域近傍の実効トラック幅を狭めてしまうことになる。具体的に、このシミュレーション結果では、記録ビット２００の全幅が２．１０μｍであるのに対して、実効トラック幅は部分的に狭くなり、磁化遷移領域近傍では、最悪の場合、１．９６μｍにまで狭くなっている。
【００７６】
これに対して、図１５（Ａ）に示すように、上述した図８に示す本発明を適用した薄膜磁気ヘッド２０では、トレーリング側に位置する下部磁気コア層２４側の突部２４ａにおける傾斜面３０ｂの延長線Ｓ２上に、リーディング側に位置する上部磁気コア層２５側の突部２５ａの磁気ギャップＧと隣接する側の一端３１ｂが位置していることから、磁気テープ３に形成される記録トラックにおいて、リーディング側に位置する上部磁気コア層２５側の突部２５ａで発生した記録磁界によって記録される記録ビットのトラック幅Ｔｗ２が、トレーリング側に位置する下部磁気コア層２４側の突部２４ａで発生した記録磁界によって記録される記録ビットのトラック幅Ｔｗ１の内側に収まることになる。これにより、上述した図１４に示すシミュレーション結果で問題となった位相差の激しい従来の薄膜磁気ヘッド１００による記録ビット２００に対して、位相差を抑制した記録ビット７０を記録することができる。
【００７７】
したがって、この薄膜磁気ヘッド２０では、図１５（Ｂ）に示すように、磁気テープ３に対してアジマス記録を行った場合でも、サイドイレースの発生を抑制することができ、この薄膜磁気ヘッド２０によって形成される記録ビット７０の実効トラック幅が狭くなるのを抑制することができる。具体的に、このシミュレーション結果では、記録ビット７０の全幅が２．１０μｍであるのに対して、実効トラック幅は、最悪の場合でも、２．０３μｍに収まっている。
【００７８】
なお、上述し記録ビット２００及び記録ビット７０の全幅が２．１０μｍに広がっているのは、薄膜磁気ヘッド１００，２０からのサイドフリンジング磁界の影響が顕著であったためと考えられる。したがって、上述した図８に示す薄膜磁気ヘッド２０では、サイドフリンジング磁界があまり顕著でない起磁力若しくは磁気的スペーシングの範囲において、位相差を抑制した記録ビット７０を記録し、この記録ビット７０の実効トラック幅が狭くなるのを抑制することができる。
【００７９】
一方、図１６（Ａ）に示すように、上述した図１２に示す本発明を適用した薄膜磁気ヘッド４０では、トレーリング側に位置する下部磁気コア層２４側の突部２４ａにおける傾斜面３０ｂの延長線Ｓ２上に、リーディング側に位置する上部磁気コア層２５側の突部２５ａの傾斜面４１ｂが位置していることから、磁気テープ３に形成される記録トラックにおいて、リーディング側に位置する上部磁気コア層２５側の突部２５ａで発生した記録磁界によって記録される記録ビットのトラック幅Ｔｗ２が、トレーリング側に位置する下部磁気コア層２４側の突部２４ａで発生した記録磁界によって記録される記録ビットのトラック幅Ｔｗ１の内側に収まることで、位相差を抑制した記録ビット８０を記録することができる。さらに、この場合には、これら傾斜面３０ｂ，４１ｂが形成された側面と、傾斜面３０ａ，４１ａが形成された側面との両側から発生するサイドフリンジング磁界を少なくすることができるので、上述した薄膜磁気ヘッド１００，２０において発生していたサイドフリンジング磁界に起因するサイドイレースの発生も抑制することができる。
【００８０】
したがって、この薄膜磁気ヘッド４０では、図１６（Ｂ）に示すように、磁気テープ３に対してアジマス記録を行った場合でも、アジマス記録のよる磁気コアのトラック幅方向へのずれが原因で生じるサイドイレースの発生と、サイドフリンジング磁界が原因で生じるサイドイレースの発生を共に抑制することができ、この薄膜磁気ヘッド４０によって形成される記録ビット８０の実効トラック幅が狭くなるのを抑制することができる。具体的に、このシミュレーション結果では、記録ビット８０の全幅が２．０３μｍであるのに対して、実効トラック幅が２．０３μｍとなり、上述した記録ビットの位相差によるトラック幅の減少が発生していないことがわかる。さらに、これら記録ビット８０の全幅は、上述の記録ビット２００及び記録ビット７０の全幅２．１０μｍに対して、２．０３μｍと狭くなっており、上述したサイドフリンジング磁界の影響が抑制されていることがわかる。
【００８１】
これに対して、図１７（Ａ）に示すように、上述した図１３に示す薄膜磁気ヘッド６０によって記録される１つの記録ビット９０には、リーディング側に位置する下部磁気コア層２４側の突部２４ａで発生した記録磁界によって、一旦記録された記録ビットを、トレーリング側に位置する上部磁気コア層２５側の突部２５ａで発生した記録磁界が記録し直す際に、トラック幅方向に対して十分に上書き（オーバーライト）されないことが原因で生じる記録ビットの位相差によって、そのトラック幅方向の両端部からヘッドの走査方向（リーディング側）に伸びる一対の記録パターン９０ａ，９０ｂが形成されている。
【００８２】
そして、図１７（Ｂ）に示すように、このような記録ビット９０が磁気テープ３の記録トラック上に複数記録されたときには、上述した図１４（Ｂ）に示す記録ビット２００と同じように、先に記録された記録ビット９０の一対の記録パターン９０ａ，９０ｂが、次に記録された記録ビット９０のトラックエッジ部にまで及ぶサイドイレースが発生することで、この記録ビット９０の磁化遷移領域近傍の実効トラック幅を狭めてしまうことになる。具体的に、このシミュレーション結果では、記録ビット９０の全幅が２．１７μｍであるのに対して、実効トラック幅は部分的に狭くなり、磁化遷移領域近傍では、最悪の場合、１．９６μｍにまで狭くなっており、今回計算を行った合計４種類のコア形状の薄膜記録ヘッドの中でも最も悪い結果となっている。
【００８３】
なお、記録ビット９０の全幅が他のヘッドと比べて大きくなったのは、リーディング側に位置する下部磁気コア層２４側の突部２４ａの磁気ギャップＧと隣接する側のトラック幅Ｔｗ１が、トレーリング側に位置する上部磁気コア層２５側の突部２５ａの磁気ギャップＧと隣接する側のトラック幅Ｔｗ２よりも大きいことと、リーディング側に位置する下部磁気コア層２４側の突部２４ａで発生した記録磁界が、トレーリング側に位置する上部磁気コア層２５側の突部２５ａで発生した記録磁界に比べて若干小さい記録磁界強度でも、蒸着テープの磁性層内の磁化を反転できることとが組み合わさったためと考えられる。
【００８４】
ここで、図１８に示すように、蒸着テープ３００に対する記録方法を上述した薄膜記録ヘッド１００を用いた場合を例に挙げて説明する。なお、図１８では、薄膜記録ヘッド１００のギャップＧ’を介して上部磁気コア層１０３側の突部１０３ａと下部磁気コア層１０２側の突部１０２ｂとが対向する媒体摺接面の近傍のみを図示している。
【００８５】
蒸着テープ３００は、上述したように、非磁性支持体３０１上に金属磁性膜３０２を斜方に蒸着させてなるものであり、この蒸着テープ３００の記録再生に関する最大の特徴は、磁化容易軸がテープの長手方向を含む膜断面において、膜法線に対して斜めに傾斜した方向にあることである。なお、図１８中に示す矢印は、この蒸着テープ３００の金属磁性膜３０２内における磁化の方向を示している。
【００８６】
一方、薄膜磁気ヘッド１００では、リーディング側に位置する下部磁気コア層１０２側の突部１０２ｂで発生した記録磁界Ｍ１が、蒸着テープ３００の磁化容易軸と同じ側に傾斜するのに対して、トレーリング側に位置する上部磁気コア層１０３側の突部１０３ａで発生した記録磁界Ｍ２が、蒸着テープ３００の磁化容易軸とは反対側、すなわち磁化困難軸と同じ側に傾斜することになる。
【００８７】
ところで、このような図１８に示す構成とは逆に、薄膜磁気ヘッド１００に対して蒸着テープ３００の磁化容易軸を、トレーリング側に位置する上部磁気コア層１０３側の突部１０３ａで発生した記録磁界Ｍ２と同じ側に傾斜させる構成も考えられる。しかしながら、図１８に示す構成のように、薄膜磁気ヘッド１００に対して蒸着テープ３００磁化容易軸を、リーディング側に位置する下部磁気コア層１０２側の突部１０２ｂで発生した記録磁界Ｍ１と同じ側に傾斜させた方が、トレーリング側に位置する上部磁気コア層１０３側の突部１０３ａで発生した記録磁界Ｍ２の磁化容易軸方向成分の減少する割合が急峻となり、蒸着テープ３００に記録される記録ビット３０３の磁化遷移領域３０３ａがより狭くなる効果を生じることから、通常は図１８に示す構成が用いられる。
【００８８】
したがって、図１８に示す構成の場合には、リーディング側に位置する下部磁気コア層１０２側の突部１０２ｂで発生した記録磁界Ｍ１が、蒸着テープ３００の磁化容易軸と同じ側に傾斜するため、トレーリング側に位置する上部磁気コア層１０３側の突部１０３ａで発生した記録磁界Ｍ２が、蒸着テープ３００の金属磁性膜３０２内の磁化を反転させるのに必要な最小記録磁界強度に比べて、若干小さい記録磁界強度でも、蒸着テープ３００の金属磁性膜３０２内の磁化を反転させることが可能となる。
【００８９】
このことから、上述した図１３に示す薄膜磁気ヘッド６０によって記録される記録ビット９０の全幅が他のヘッドと比べて大きくなったのは、リーディング側に位置する下部磁気コア層２４側の突部２４ａで発生した記録磁界が、トレーリング側に位置する上部磁気コア層２５側の突部２５ａで発生した記録磁界に比べて若干小さい記録磁界強度でも、蒸着テープの磁性層内の磁化を反転できたためと考えられる。
【００９０】
一方、上述した図１２に示す本発明を適用した薄膜磁気ヘッド４０では、上述した図１３に示す薄膜磁気ヘッド６０と同様に、下部磁気コア層２４側の突部２４ａの磁気ギャップＧと隣接する側のトラック幅Ｔｗ１が、上部磁気コア層２５側の突部２５ａの磁気ギャップＧと隣接する側のトラック幅Ｔｗ２よりも大きく、薄膜磁気ヘッド６０の下部磁気コア層２４側の突部２４ａの磁気ギャップＧと隣接する側のトラック幅Ｔｗ１と全く同じ大きさとなっている。しかしながら、この薄膜磁気ヘッド４０の下部磁気コア層２４の突部２４ａがトレーリング側に位置することによって、図１６に示す記録ビット８０の全幅が２．０３μｍの値に収まっている。
【００９１】
したがって、本発明を適用した薄膜磁気ヘッド２０，４０のように、リーディング側に上部磁気コア層２５側の突部２５ａが位置し、トレーリング側に下部磁気コア層２４側の突部２４ａが位置する構成によって、特に、蒸着テープに対してサイドイレースによる影響を大幅に抑制することが可能である。
【００９２】
なお、本発明は、上述した薄膜磁気ヘッド２０，４０の構成に限定されるものではなく、媒体対向面２０ａにおいて、トレーリング側に位置する下部磁気コア層２４側の突部２４ａのトラック幅方向の少なくとも一側面が、アジマス角θ以上となる角度で傾けられた傾斜面とされ、この傾斜面の延長線上に、リーディング側に位置する上部磁気コア層２５側の突部２５ａの磁気ギャップＧと隣接する側の一端が位置していればよく、この場合、リーディング側に位置する上部磁気コア層２５側の突部２５ａの磁気ギャップＧと隣接する側のトラック幅Ｔｗ２が、トレーリング側に位置する下部磁気コア層２４側の突部２４ａの磁気ギャップＧと隣接する側のトラック幅Ｔｗ１に対して同等又は小さくなることが好ましい。
【００９３】
このように、本発明を適用した薄膜磁気ヘッドでは、従来のような薄膜形成技術によって基板上に幅広となるトレーリング側の下部磁気コア層２４を形成した後に、幅狭となるリーディング側の上部磁気コア層２５を形成することから、製造が容易である等の利点を有している。また、上部磁気コア層２５側の突部２５ａにおいて、下部磁気コア層２４側の突部２４ａの傾斜面の延長線上に位置する側面を、アジマス角θ以上となる角度で傾けられた傾斜面とした場合でも、これら傾斜面が同一直線上に位置することから、製造上このような形状を容易に形成することが可能である。
【００９４】
【発明の効果】
以上詳細に説明したように、本発明に係る薄膜磁気ヘッドによれば、下部磁気コア層側の突部のトラック幅方向の少なくとも一側面が、アジマス角以上となる角度で傾けられた傾斜面とされ、この傾斜面の延長線上に上部磁気コア層側の突部の磁気ギャップと隣接する側の一端が位置していることから、当該ヘッドの走査方向において先行する上部磁気コア層側の突部で発生した記録磁界によって記録される記録ビットを、下部磁気コア層側の突部で発生した記録磁界がトラック幅方向に対して十分記録し直すことによって、この薄膜磁気ヘッドによって磁気記録媒体に形成される記録トラックにおいて、位相差を抑制した記録ビットを記録することが可能である。
【００９５】
したがって、本発明に係る磁気テープ装置では、このような薄膜磁気ヘッドを用いてアジマス記録を行った場合でも、トレーリング側に位置する下部磁気コア層で発生する記録磁界とリーディング側の上部磁気コア層で発生する記録磁界とのトラック幅方向のずれによるサイドイレースの発生と、サイドフリンジング磁界によるサイドイレースの発生とを共に抑制することが可能であり、記録ビットの実効トラック幅が狭くなるのを抑制することが可能である。
【図面の簡単な説明】
【図１】本発明を適用した磁気テープ装置の概略を示す平面図である。
【図２】磁気ヘッド装置の構成を示す斜視図である。
【図３】本発明を適用した薄膜磁気ヘッドの構成を示す斜視図である。
【図４】上記薄膜磁気ヘッドの構成を示す要部斜視図である。
【図５】上記薄膜磁気ヘッドの構成を示す平面図である。
【図６】上記薄膜磁気ヘッドの構成を示すＸ−Ｘ’断面図である。
【図７】上記薄膜磁気ヘッドを媒体対向面から見た端面図である。
【図８】上記薄膜磁気ヘッドのアジマス記録による走査状態を示す模式図である。
【図９】本発明を適用した別の薄膜磁気ヘッドの構成を示す斜視図である。
【図１０】上記別の薄膜磁気ヘッドの構成を示す要部斜視図である。
【図１１】上記別の薄膜磁気ヘッドを媒体対向面から見た端面図である。
【図１２】上記別の薄膜磁気ヘッドのアジマス記録による走査状態を示す模式図である。
【図１３】上記別の薄膜磁気ヘッドの配置を逆向きとした場合のアジマス記録による走査状態を示す模式図である。
【図１４】図２３中に示す従来の薄膜磁気ヘッドにより記録される記録ビットのシミュレーション結果を示す模式図である。
【図１５】図８中に示す本発明を適用した薄膜磁気ヘッドにより記録される記録ビットのシミュレーション結果を示す模式図である。
【図１６】図１２中に示す本発明を適用した別の薄膜磁気ヘッドにより記録される記録ビットのシミュレーション結果を示す模式図である。
【図１７】図１３中に示す薄膜磁気ヘッドにより記録される記録ビットのシミュレーション結果を示す模式図である。
【図１８】蒸着テープに対する記録方法を説明するための模式図である。
【図１９】従来の薄膜ヘッドの一構成例を示す平面図である。
【図２０】上記従来の薄膜磁気ヘッドの構成を示すＹ−Ｙ’断面図である。
【図２１】上記従来の薄膜磁気ヘッドを媒体対向面から見た端面図である。
【図２２】上記従来の薄膜磁気ヘッドの別の構成を媒体対向面から見た端面図である。
【図２３】上記従来の薄膜磁気ヘッドのアジマス記録による走査状態を示す模式図である。
【符号の説明】
１　磁気テープ装置、２　テープカセット、３　磁気テープ、４　供給リール、５　巻取リール、６　装置本体、７ａ〜７ｆ　ガイドローラ、８　ピンチローラ、９　キャップスタン、９ａ　キャップスタンモータ、１０　磁気ヘッド装置、１１ａ，１１ｂ　記録ヘッド、１２ａ，１２ｂ　再生ヘッド、１３　ヘッドドラム、１４　回転ドラム、１５　固定ドラム、１６　駆動モータ、２０　薄膜磁気ヘッド、２０ａ　媒体摺接面、２１　第１のコア部材、２２　保護膜、２３　第２のコア部材、２４　下部磁気コア層、２４ａ　突部、２５　上部磁気コア層、２５ａ　突部、２６　非磁性層、２７　薄膜コイル、２８ａ，２８ｂ　引き出し導線、２９ａ，２９ｂ　外部接続用端子、３０ａ，３０ｂ　傾斜面、３１ａ，３１ｂ　端部、４０　薄膜磁気ヘッド、４１ａ，４１ｂ　傾斜面
【図１】
2004127457.tif 000003
【図２】
2004127457.tif 000004
【図３】
2004127457.tif 000005
【図４】
2004127457.tif 000006
【図５】
2004127457.tif 000007
【図６】
2004127457.tif 000008
【図７】
2004127457.tif 000009
【図８】
2004127457.tif 000010
【図９】
2004127457.tif 000011
【図１０】
2004127457.tif 000012
【図１１】
2004127457.tif 000013
【図１２】
2004127457.tif 000014
【図１３】
2004127457.tif 000015
【図１４】
2004127457.tif 000016
【図１５】
2004127457.tif 000017
【図１６】
2004127457.tif 000018
【図１７】
2004127457.tif 000019
【図１８】
2004127457.tif 000020
【図１９】
2004127457.tif 000021
【図２０】
2004127457.tif 000022
【図２１】
2004127457.tif 000023
【図２２】
2004127457.tif 000024
【図２３】
2004127457.tif 000025